(57)【要約】      （修正有）【課題】所定の条件が満たされた場合に、貨幣の入金処理が完了するまでにかかる時間を短縮することができ、このことにより顧客を長い間待たせてしまうことを防止することができる貨幣処理装置および貨幣処理方法を提供する。【解決手段】貨幣処理装置（例えば、硬貨釣銭機１００や紙幣釣銭機２００）は、貨幣を入金するための入金部（例えば、硬貨受入部１１４や紙幣受入部２１４）と、入金部に入金された貨幣を筐体１１０、２１０の内部に繰り出す繰出部（例えば、搬送ベルトや繰出機構２１４ｂ）と、予め設定された所定の条件を満たす場合に、所定の条件を満たさない場合よりも高速で筐体１１０、２１０の内部に貨幣を繰り出させるよう繰出部を制御する制御部（例えば、硬貨釣銭機制御部１３０や紙幣釣銭機制御部２３０）とを備えている。【選択図】図３
2017049679.tif 000002
【特許請求の範囲】
【請求項１】
貨幣を入金するための入金部と、
前記入金部に入金された貨幣を筐体の内部に繰り出す繰出部と、
予め設定された所定の条件を満たす場合に、前記所定の条件を満たさない場合よりも高速で前記筐体の内部に貨幣を繰り出させるよう前記繰出部を制御する制御部と、
を備えた、貨幣処理装置。
【請求項２】
前記入金部に入金された貨幣の所有者が顧客であるか否かを判定する判定手段を更に備え、
前記所定の条件は、前記入金部に入金された貨幣の所有者が顧客であると前記判定手段により判定された場合である、請求項１記載の貨幣処理装置。
【請求項３】
前記入金部に入金された貨幣の量を検知する貨幣量検知部を更に備え、
前記所定の条件は、前記入金部に入金された貨幣の量が所定量以下であることが貨幣量検知部により検知された場合である、請求項１記載の貨幣処理装置。
【請求項４】
前記入金部には、当該入金部への貨幣投入用の開口が形成された蓋、および前記蓋の開閉を検知するための蓋開閉検知部がそれぞれ設けられており、
前記所定の条件は、前記蓋が閉まっていることが前記蓋開閉検知部により検知された場合である、請求項１記載の貨幣処理装置。
【請求項５】
外部装置から送信された貨幣の処理に関する指示を受信する通信部を更に備え、
前記所定の条件は、前記外部装置から入金処理開始の指示を前記通信部にて受信した場合である、請求項１記載の貨幣処理装置。
【請求項６】
前記制御部は、前記所定の条件を満たさない場合に、前記筐体の内部への貨幣の繰り出し速度を徐々に大きくするよう前記繰出部を制御する、請求項１乃至５のいずれか一項に記載の貨幣処理装置。
【請求項７】
貨幣処理装置の入金部に貨幣を入金する工程と、
前記入金部に入金された貨幣を前記貨幣処理装置の筐体の内部に繰り出す工程と、
を備え、
予め設定された所定の条件を満たす場合に、前記所定の条件を満たさない場合よりも高速で前記筐体の内部に貨幣を繰り出させる、貨幣処理方法。
【発明の詳細な説明】
【技術分野】
【０００１】
本発明は、硬貨や紙幣等の貨幣の少なくとも入金処理を行う貨幣処理装置およびこのような貨幣処理装置による貨幣処理方法に関する。
【背景技術】
【０００２】
従来から、銀行等の金融機関の窓口には、硬貨や紙幣等の貨幣の入出金処理を行う貨幣処理装置が設置されている。このような貨幣処理装置として、特許文献１には、複数の搬送速度で貨幣を搬送させることができ、高速処理化と低環境負荷化とを両立させたものが開示されている。具体的には、特許文献１に開示される貨幣処理装置では、入金された貨幣または出金されるべき貨幣の量が所定量以下である場合には、貨幣を低速で搬送することにより、省電力化や低騒音化等を図ることができ地球環境や生活環境への負荷を低減させることができるようになっている。
【先行技術文献】
【特許文献】
【０００３】
【特許文献１】特開２０１１−１５９０７４号公報
【発明の概要】
【発明が解決しようとする課題】
【０００４】
上記の貨幣処理装置が店舗等の商業施設において貨幣釣銭機として用いられる場合において、顧客から商品の代金として店員に支払われた貨幣を当該貨幣処理装置に入金する際に、入金部に投入された貨幣が筐体内に繰り出される速度が低速であるときには貨幣の入金処理が完了するまでに時間がかかってしまい顧客を待たせてしまうという問題がある。
【０００５】
本発明は、このような点を考慮してなされたものであり、所定の条件が満たされた場合に、貨幣の入金処理が完了するまでにかかる時間を短縮することができ、このことにより顧客を長い間待たせてしまうことを防止することができる貨幣処理装置および貨幣処理方法を提供することを目的とする。
【課題を解決するための手段】
【０００６】
本発明の貨幣処理装置は、貨幣を入金するための入金部と、前記入金部に入金された貨幣を筐体の内部に繰り出す繰出部と、予め設定された所定の条件を満たす場合に、前記所定の条件を満たさない場合よりも高速で前記筐体の内部に貨幣を繰り出させるよう前記繰出部を制御する制御部と、を備えたことを特徴とする。
【０００７】
このような貨幣処理装置によれば、所定の条件が満たされた場合に、所定の条件が満たされない場合よりも高速で筐体の内部に貨幣が繰り出されるようになるため、貨幣の入金処理が完了するまでにかかる時間を短縮することができ、このことにより顧客を長い間待たせてしまうことを防止することができる。
【０００８】
本発明の貨幣処理装置は、前記入金部に入金された貨幣の所有者が顧客であるか否かを判定する判定手段を更に備え、前記所定の条件は、前記入金部に入金された貨幣の所有者が顧客であると前記判定手段により判定された場合であってもよい。
【０００９】
本発明の貨幣処理装置は、前記入金部に入金された貨幣の量を検知する貨幣量検知部を更に備え、前記所定の条件は、前記入金部に入金された貨幣の量が所定量以下であることが貨幣量検知部により検知された場合であってもよい。
【００１０】
本発明の貨幣処理装置においては、前記入金部には、当該入金部への貨幣投入用の開口が形成された蓋、および前記蓋の開閉を検知するための蓋開閉検知部がそれぞれ設けられており、前記所定の条件は、前記蓋が閉まっていることが前記蓋開閉検知部により検知された場合であってもよい。
【００１１】
本発明の貨幣処理装置は、外部装置から送信された貨幣の処理に関する指示を受信する通信部を更に備え、前記所定の条件は、前記外部装置から入金処理開始の指示を前記通信部にて受信した場合であってもよい。
【００１２】
本発明の貨幣処理装置においては、前記制御部は、前記所定の条件を満たさない場合に、前記筐体の内部への貨幣の繰り出し速度を徐々に大きくするよう前記繰出部を制御するようになっていてもよい。
【００１３】
本発明の貨幣処理方法は、貨幣処理装置の入金部に貨幣を入金する工程と、前記入金部に入金された貨幣を前記貨幣処理装置の筐体の内部に繰り出す工程と、を備え、予め設定された所定の条件を満たす場合に、前記所定の条件を満たさない場合よりも高速で前記筐体の内部に貨幣を繰り出させることを特徴とする。
【００１４】
このような貨幣処理方法によれば、所定の条件が満たされた場合に、所定の条件が満たされない場合よりも高速で筐体の内部に貨幣が繰り出されるようになるため、貨幣の入金処理が完了するまでにかかる時間を短縮することができ、このことにより顧客を長い間待たせてしまうことを防止することができる。
【発明の効果】
【００１５】
本発明の貨幣処理装置および貨幣処理方法によれば、所定の条件が満たされた場合に、貨幣の入金処理が完了するまでにかかる時間を短縮することができ、このことにより顧客を長い間待たせてしまうことを防止することができる。
【図面の簡単な説明】
【００１６】
【図１】本発明の実施の形態によるレジユニットが設置された店舗の構成の概略を示す概略構成図である。
【図２】図１に示す店舗のフロント領域の精算所に設置されたレジユニットにおける貨幣釣銭機（貨幣処理装置）およびＰＯＳレジスタの構成を示す斜視図である。
【図３】図２に示すレジユニットの構成の概略を示す概略構成図である。
【図４】図２に示すレジユニットの硬貨釣銭機における硬貨受入部の構成の詳細を示す斜視図である。
【図５】図２に示すレジユニットの制御系の構成を示す機能ブロック図である。
【図６】図２に示すレジユニットにおける硬貨釣銭機において硬貨の入金処理が行われる際の動作を示すフローチャートである。
【発明を実施するための形態】
【００１７】
以下、図面を参照して本発明の実施の形態について説明する。図１乃至図６は、本実施の形態による貨幣釣銭機（貨幣処理装置）およびこのような貨幣釣銭機を備えたレジユニットを示す図である。このうち、図１は、本実施の形態によるレジユニットが設置された店舗の構成の概略を示す概略構成図であり、図２は、図１に示す店舗のフロント領域の精算所に設置されたレジユニットにおける貨幣釣銭機（貨幣処理装置）およびＰＯＳレジスタの構成を示す斜視図であり、図３は、図２に示すレジユニットの構成の概略を示す概略構成図である。また、図４は、図２に示すレジユニットの硬貨釣銭機における硬貨受入部の構成の詳細を示す斜視図である。また、図５は、図２に示すレジユニットの制御系の構成を示す機能ブロック図であり、図６は、図２に示すレジユニットにおける硬貨釣銭機において硬貨の入金処理が行われる際の動作を示すフローチャートである。
【００１８】
図１に示すように、スーパーマーケットやコンビニエンスストア等の店舗１０において、顧客が立ち入ることができるフロント領域１２には様々な商品が陳列された商品棚１４が設置されているとともに、このフロント領域１２の精算所１６にはレジユニット１８が設置されている。後述するように、レジユニット１８は、硬貨釣銭機１００、紙幣釣銭機２００およびＰＯＳレジスタ３００等から構成されている（図２等参照）。顧客がこのような精算所１６で精算処理を行う際に、店員は、顧客から受け取った商品の代金としての貨幣をレジユニット１８の硬貨釣銭機１００や紙幣釣銭機２００に入金したり、釣銭としての貨幣を硬貨釣銭機１００や紙幣釣銭機２００から出金して顧客に返却したりするようになっている。また、このような店舗１０における顧客の立ち入りが禁止されたバックヤード領域２０には、硬貨釣銭機１００や紙幣釣銭機２００から回収された売上金としての貨幣が入金される売上入金機２２が設置されている。売上入金機２２に入金された売上金としての貨幣は、警送会社の収集担当者により回収されて当該警送会社の管理センターに運搬されるようになっている。
【００１９】
フロント領域１２の精算所１６に設置されたレジユニット１８の構成の詳細について図２乃至図５を用いて説明する。なお、前述したように、図２は、レジユニット１８における硬貨釣銭機１００、紙幣釣銭機２００およびＰＯＳレジスタ３００の構成を示す斜視図であり、図３は、図２に示すレジユニット１８の内部構成の概略を示す概略構成図であり、図４は、図２に示すレジユニット１８の硬貨釣銭機１００における硬貨受入部１１４の構成の詳細を示す斜視図である。また、図５は、図２に示すレジユニット１８の制御系の構成を示す機能ブロック図である。
【００２０】
図２等に示すように、レジユニット１８は、硬貨釣銭機１００と、紙幣釣銭機２００と、ＰＯＳレジスタ３００とを備えており、硬貨釣銭機１００および紙幣釣銭機２００は、それぞれ硬貨や紙幣の入出金処理を行うようになっている。また、図２に示すように、硬貨釣銭機１００および紙幣釣銭機２００は左右方向に並べて配置される。そして、ＰＯＳレジスタ３００は、硬貨釣銭機１００および紙幣釣銭機２００の上方に配置される。以下、硬貨釣銭機１００および紙幣釣銭機２００をまとめて貨幣釣銭機ともいう。なお、本実施の形態では、硬貨釣銭機１００および紙幣釣銭機２００を組み合わせた貨幣釣銭機により、本発明に係る貨幣処理装置が構成されている。また、本実施の形態のレジユニット１８において、ＰＯＳレジスタ３００は、貨幣釣銭機（具体的には、硬貨釣銭機１００および紙幣釣銭機２００）の管理を行う管理装置として機能するようになる。
【００２１】
また、図３および図５に示すように、ＰＯＳレジスタ３００は店舗サーバ５００に通信可能に接続されている。そして、ＰＯＳレジスタ３００から店舗サーバ５００に売上金情報等が送信されるようになっている。また、各種設定情報が、店舗サーバ５００からＰＯＳレジスタ３００（複数台でも可）に配信されるようになっている。
【００２２】
図３および図５に示すように、硬貨釣銭機１００は、上位制御部１２０および硬貨釣銭機制御部１３０を有しており、これらの上位制御部１２０および硬貨釣銭機制御部１３０は互いに接続されている。また、紙幣釣銭機２００は、紙幣釣銭機制御部２３０を有しており、この紙幣釣銭機制御部２３０は硬貨釣銭機１００の上位制御部１２０に通信可能に接続されている。また、ＰＯＳレジスタ３００もＰＯＳ制御部３３０を有しており、硬貨釣銭機１００の上位制御部１２０はＰＯＳレジスタ３００のＰＯＳ制御部３３０に通信可能に接続されている。なお、図３および図５に示す例では、上位制御部１２０が硬貨釣銭機１００に設けられている態様が示されているが、このような例に限定されることはない。本実施の形態による貨幣釣銭機の他の例として、硬貨釣銭機ではなく紙幣釣銭機に上位制御部が設けられていてもよく、あるいは硬貨釣銭機および紙幣釣銭機の両方に上位制御部がそれぞれ設けられていてもよい。
【００２３】
以下、硬貨釣銭機１００、紙幣釣銭機２００およびＰＯＳレジスタ３００の各々の構成について図２乃至図４を用いて詳述する。
【００２４】
まず、硬貨釣銭機１００の構成について具体的に説明する。図２等に示すように、硬貨釣銭機１００は、前部上面にタッチパネル等の操作表示部１１２が設けられた筐体１１０を備えている。なお、図２および図５に示す例では、操作表示部１１２が硬貨釣銭機１００に設けられている場合についての態様について述べたが、このような例に限定されることはない。本実施の形態による貨幣釣銭機の他の例として、硬貨釣銭機ではなく紙幣釣銭機に操作表示部が設けられていてもよく、あるいは硬貨釣銭機および紙幣釣銭機の両方に操作表示部がそれぞれ設けられていてもよい。また、筐体１１０の前部には硬貨受入部１１４および硬貨払出部１１６がそれぞれ設けられている。
【００２５】
図３に示すように、この硬貨受入部１１４には、当該硬貨受入部１１４により機体内に取り込まれた硬貨を搬送する入金搬送部１０３が接続されている。ここで、図４に示すように、硬貨受入部１１４は、複数の硬貨を受け入れる受入ホッパ１１４ａと、受入ホッパ１１４ａに受け入れられた硬貨を１枚ずつ当該受入ホッパ１１４ａから繰り出す繰出部としての搬送ベルト１１４ｂと、受入ホッパ１１４ａの上部開口の開閉を行う蓋１１４ｃとを有しており、搬送ベルト１１４ｂにより受入ホッパ１１４ａから繰り出された硬貨が入金搬送部１０３に送られるようになっている。また、蓋１１４ｃには、受入ホッパ１１４ａへの硬貨投入用の開口１１４ｆ（具体的には、スリット）が形成されている。ここで、開口１１４ｆは横に細長い略長方形形状となっており、このような開口１１４ｆの高さは、硬貨受入部１１４に投入されるべき硬貨の厚さよりもわずかに大きくなっている。このことにより、受入ホッパ１１４ａの上部開口が蓋１１４ｃにより閉じられているときには、操作者は開口１１４ｆを介して硬貨を１枚ずつ硬貨受入部１１４に投入することができるようになる。一方、蓋１１４ｃが開かれて受入ホッパ１１４ａの上部開口が外部環境に露出されると、操作者は受入ホッパ１１４ａに大量の硬貨を一度に投入することができるようになる。
【００２６】
また、蓋１１４ｃの側端部には被検知板１１４ｅが設けられているとともに、この被検知板１１４ｅの検知を行うフォトインタラプタ等の検知センサ１１４ｄ（蓋開閉検知部）が設けられており、このような検知センサ１１４ｄにより蓋１１４ｃの開閉が検知されるようになっている。具体的には、図４における実線で示すように蓋１１４ｃが閉まっているときには、蓋１１４ｃに設けられた被検知板１１４ｅが検知センサ１１４ｄにより検知されるようになる。一方、図４における二点鎖線で示すように蓋１１４ｃが開かれると、蓋１１４ｃに設けられた被検知板１１４ｅが検知センサ１１４ｄにより検知されなくなる。
【００２７】
また、硬貨受入部１１４の受入ホッパ１１４ａには、当該受入ホッパ１１４ａ内に硬貨が残留するか否かを検知する光センサ等の残留検知センサ１１４ｇ（図３参照）が設けられている。そして、受入ホッパ１１４ａ内に硬貨が存在することが残留検知センサ１１４ｇにより検知されると搬送ベルト１１４ｂが駆動され、受入ホッパ１１４ａに受け入れられた硬貨が１枚ずつ搬送ベルト１１４ｂにより入金搬送部１０３に繰り出されるようになる。
【００２８】
また、硬貨受入部１１４には、当該硬貨受入部１１４の受入ホッパ１１４ａに投入された硬貨の量を検知する硬貨量検知部１４２が設けられている（図５参照）。具体的には、硬貨量検知部１４２は複数の光センサを有しており、各光センサは、受入ホッパ１１４ａにおける硬貨収容領域を挟むよう設けられた発光素子１４２ａおよび受光素子１４２ｂから構成されている（図４参照）。そして、全ての光センサにおいて発光素子１４２ａから発せられた光が受光素子１４２ｂにより受けられたときに、受入ホッパ１１４ａに収容されている硬貨の量が所定量以下であることが硬貨量検知部１４２により検知される。一方、少なくとも１つの光センサにおいて発光素子１４２ａから発せられた光が受入ホッパ１１４ａに収容されている硬貨によって遮られることにより受光素子１４２ｂにより受けられなくなったときに、受入ホッパ１１４ａに収容されている硬貨の量が所定量よりも多くなったことが硬貨量検知部１４２により検知される。
【００２９】
図３に示すように、入金搬送部１０３の途中箇所には、硬貨の金種、真偽、正損、新旧、搬送状態等の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を入金搬送部１０３から出金搬送部１０８に分岐させるようになっている。
【００３０】
一方、正常硬貨等の機体内に収納されるべき硬貨は入金搬送部１０３により各硬貨収納部１０６へ搬送されるようになっている。各硬貨収納部１０６は硬貨を金種別に収納するようになっている。具体的には、例えば入金搬送部１０３の上流側から高額順に硬貨が収納される。
【００３１】
出金搬送部１０８は、各硬貨収納部１０６から繰り出された硬貨を硬貨払出部１１６へ搬送するようになっている。また、出金搬送部１０８は、分岐部１０４により入金搬送部１０３から分岐させられたリジェクト硬貨等も硬貨払出部１１６へ搬送するようになっている。
【００３２】
次に、紙幣釣銭機２００の構成について具体的に説明する。図２および図３に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４および紙幣回収カセット２０７が、周回搬送部２０３ａを外側から取り囲むように配置されている。
【００３３】
また、紙幣釣銭機２００の筐体２１０の内部には、紙幣受入部２１４、各紙幣収納部２０６、紙幣払出部２１６、出金リジェクト部２０４および紙幣回収カセット２０７の各々と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の金種、真偽、正損、新旧、搬送状態等の識別を行うようになっている。
【００３４】
また、周回搬送部２０３ａと各接続搬送部２０３ｂとの間で紙幣の搬送経路を切り換える経路切換部（図示せず）が、周回搬送部２０３ａに沿って配置されている。
【００３５】
図２および図３に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に設置されている。
【００３６】
紙幣受入部２１４には、当該紙幣受入部２１４に受け入れられた紙幣を１枚ずつ筐体２１０の内部に繰り出す繰出機構２１４ｂ（図３参照）が設けられている。そして、紙幣受入口２１４ａを介して紙幣受入部２１４に受け入れられた紙幣が当該紙幣受入部２１４に設けられた残留検知センサ２１４ｃ（図３参照）により検知されると繰出機構２１４ｂが駆動されるようになり、この繰出機構２１４ｂにより周回搬送部２０３ａ側へ紙幣が１枚ずつ繰り出すようになっている。また、紙幣受入部２１４には、紙幣受入口２１４ａに挿入された入金紙幣の量を検知する紙幣量検知部２４２が設けられている（図５参照）。各紙幣収納部２０６は、紙幣識別部２０１の識別結果に基づいて紙幣を金種別に収納するようになっている。紙幣払出部２１６は、各紙幣収納部２０６から周回搬送部２０３ａに繰り出された紙幣を紙幣取出口２１６ａより筐体２１０の外部へ放出するようになっている。
【００３７】
出金リジェクト部２０４は、紙幣の出金処理が行われる際に紙幣収納部２０６から繰り出された紙幣のうち、斜行等の搬送異常により紙幣識別部２０１で正常に識別することができない紙幣を出金リジェクト紙幣として収納する。また、紙幣受入部２１４から機体内に取り込まれた紙幣のうち、汚損等により紙幣識別部２０１で正常に識別することができない紙幣は入金リジェクト紙幣として紙幣払出部２１６に返却されるようになっている。
【００３８】
紙幣回収カセット２０７は筐体２１０の前面から引き出すことにより当該筐体２１０の外部に取り出すことができるようになっている。
【００３９】
次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００４０】
ＰＯＳレジスタ３００のＰＯＳ制御部３３０は、図３に示すように、硬貨釣銭機１００の上位制御部１２０に通信可能に接続されているとともに、店舗サーバ５００にも通信可能に接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００４１】
操作部３０４は、店員が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の在高を表示するようになっている。また、ＰＯＳレジスタ３００には顧客向けの追加の表示部３０２ａが設けられており、様々な情報を表示部３０２に表示させる代わりに、あるいは表示部３０２における表示に加えて、追加の表示部３０２ａにおいて顧客向けの表示が行われるようになっている。また、ＰＯＳレジスタ３００にはカードリーダライタ３３６および印字部３３８が設けられている（図５参照、図２および図３では図示せず）。カードリーダライタ３３６は、店員のＩＤカードを読み取ることにより店員のＩＤや権限等に関する情報を取得するようになっている。また、印字部３３８は例えばプリンタから構成され、取引内容を印字したり（通常の取引レシート）、硬貨釣銭機１００や紙幣釣銭機２００の在高等の様々な情報を印字したりするようになっている。
【００４２】
また、図２等に示すように、ＰＯＳレジスタ３００には、商品棚１４に陳列される商品に付されたバーコードの情報を読み取るバーコードスキャナ３５０が設けられている。
【００４３】
図５は、上述のような構成からなるレジユニット１８の制御系の構成を示す制御ブロック図である。図５に示すように、硬貨釣銭機１００の上位制御部１２０には、硬貨釣銭機１００のインターフェース１３２（通信部）、操作表示部１１２および記憶部１３４がそれぞれ接続されている。この上位制御部１２０は、通信部としてのインターフェース１３２により、紙幣釣銭機２００の紙幣釣銭機制御部２３０およびＰＯＳレジスタ３００のＰＯＳ制御部３３０に対して信号の送受信を行うようになっている。また、店員により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の在高が表示されるようになっている。また、記憶部１３４には、硬貨釣銭機１００や紙幣釣銭機２００における硬貨や紙幣の処理履歴や、硬貨釣銭機１００や紙幣釣銭機２００の在高等の様々な情報が記憶されるようになっている。
【００４４】
また、硬貨釣銭機１００の上位制御部１２０には、硬貨釣銭機１００の硬貨受入部１１４や紙幣釣銭機２００の紙幣受入部２１４に投入された硬貨や紙幣の所有者が顧客であるか否かを判定する所有者判定手段１４０が接続されている。このような所有者判定手段１４０の機能の詳細については後述する。
【００４５】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６、硬貨量検知部１４２等がそれぞれ接続されており、硬貨識別部１０１から硬貨釣銭機制御部１３０に硬貨の識別結果が送られたり、受入ホッパ１１４ａに受け入れられた硬貨の量が所定量以下であるか否かという情報が硬貨量検知部１４２から硬貨釣銭機制御部１３０に送られたりするとともに、硬貨釣銭機制御部１３０から硬貨受入部１１４、入金搬送部１０３、分岐部１０４、硬貨収納部１０６、出金搬送部１０８、硬貨払出部１１６等の各々に対して様々な指令が送られるようになっている。
【００４６】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６、紙幣量検知部２４２等がそれぞれ接続されており、紙幣識別部２０１から紙幣釣銭機制御部２３０に紙幣の識別結果が送られたり、紙幣受入部２１４に受け入れられた紙幣の量が所定量以下であるか否かという情報が紙幣量検知部２４２から紙幣釣銭機制御部２３０に送られたりするとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【００４７】
また、ＰＯＳレジスタ３００のＰＯＳ制御部３３０には、表示部３０２、操作部３０４、記憶部３３４、インターフェース３３２、カードリーダライタ３３６、印字部３３８等がそれぞれ接続されており、店員によって操作部３０４により入力された指令が当該操作部３０４からＰＯＳ制御部３３０に送られたり、カードリーダライタ３３６により読み取られた店員のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。また、ＰＯＳ制御部３３０は、表示部３０２に様々な情報を表示させる代わりに、あるいは表示部３０２における表示に加えて、追加の表示部３０２ａにおいて顧客向けの表示を行わせるようになっている。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ５００に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の在高等の様々な情報が記憶されるようになっている。
【００４８】
次に、このような構成からなるレジユニット１８の動作、具体的には硬貨釣銭機１００や紙幣釣銭機２００において硬貨や紙幣の入金処理や出金処理を行う際の動作について以下に説明する。
【００４９】
まず、硬貨釣銭機１００において硬貨の入金処理を行う場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により入金搬送部１０３から出金搬送部１０８に分岐させられ、当該出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【００５０】
また、本実施の形態では、硬貨釣銭機１００において硬貨の入金処理が行われる際に、硬貨釣銭機制御部１３０は、予め設定された所定の条件を満たす場合に、所定の条件を満たさない場合よりも高速で硬貨受入部１１４の受入ホッパ１１４ａから筐体１１０の内部に硬貨を繰り出させるよう当該硬貨受入部１１４の搬送ベルト１１４ｂを制御するようになっている。ここで、「所定の条件」としては、硬貨釣銭機１００の硬貨受入部１１４に投入された硬貨の所有者が顧客であると所有者判定手段１４０により判定された場合、硬貨釣銭機１００の硬貨受入部１１４に投入された硬貨の量が所定量以下であることが硬貨量検知部１４２により検知された場合、硬貨受入部１１４において蓋１１４ｃが閉まっていることが検知センサ１１４ｄ（蓋開閉検知部）により検知された場合、外部装置（具体的には、ＰＯＳレジスタ３００）から入金処理開始の指令をインターフェース１３２（通信部）にて受信した場合等、様々な例が考えられる。上述した所定の条件の様々な例の詳細については後述する。このような本実施の形態による硬貨の入金処理の特徴について図６に示すフローチャートを用いて以下に説明する。
【００５１】
硬貨釣銭機１００において硬貨の入金処理が行われる際に、硬貨釣銭機１００の硬貨受入部１１４に硬貨が受け入れられ、硬貨受入部１１４の受入ホッパ１１４ａ内に硬貨が存在することが残留検知センサ１１４ｇにより検知されると（ＳＴＥＰ１の「ＹＥＳ」）、予め設定された所定の条件が満たされている場合には（ＳＴＥＰ２の「ＹＥＳ」）、受入ホッパ１１４ａに受け入れられた硬貨が１枚ずつ高速で搬送ベルト１１４ｂにより入金搬送部１０３に繰り出されるようになる（ＳＴＥＰ３）。具体的には、予め設定された所定の条件が満たされている場合には、搬送ベルト１１４ｂの速度は例えば３００ｍｍ／ｓｅｃとなる。一方、予め設定された所定の条件が満たされていない場合には（ＳＴＥＰ２の「ＮＯ」）、受入ホッパ１１４ａに受け入れられた硬貨が１枚ずつ低速で搬送ベルト１１４ｂにより入金搬送部１０３に繰り出されるようになる（ＳＴＥＰ４）。具体的には、予め設定された所定の条件が満たされていない場合には、搬送ベルト１１４ｂの速度は例えば１５０ｍｍ／ｓｅｃとなる。
【００５２】
また、本実施の形態では、予め設定された所定の条件が満たされていない場合において（ＳＴＥＰ２の「ＮＯ」）、筐体１１０の内部への硬貨の繰り出し速度が徐々に大きくなるように搬送ベルト１１４ｂが硬貨釣銭機制御部１３０により制御されるようになっている。すなわち、予め設定された所定の条件が満たされていない場合における搬送ベルト１１４ｂの速度は最初は例えば１５０ｍｍ／ｓｅｃであるが、この搬送ベルト１１４ｂの速度は時間の経過とともに徐々に大きくなり、最終的には３００ｍｍ／ｓｅｃとなる。
【００５３】
そして、硬貨受入部１１４に投入された硬貨が全て搬送ベルト１１４ｂにより筐体１１０の内部へ繰り出され、各硬貨収納部１０６または硬貨払出部１１６に送られると（ＳＴＥＰ５の「ＹＥＳ」）、硬貨釣銭機１００における硬貨の入金処理が完了する。
【００５４】
次に、硬貨釣銭機１００において硬貨の入金処理が行われる際に、搬送ベルト１１４ｂによる筐体１１０の内部への硬貨の繰り出し速度を高速とするか低速とするかの基準となる「所定の条件」の詳細について説明する。上述したように、「所定の条件」の一例として、硬貨釣銭機１００の硬貨受入部１１４に投入された硬貨の所有者が顧客であると所有者判定手段１４０により判定された場合が考えられる。例えば、硬貨釣銭機１００の硬貨受入部１１４に投入された硬貨の所有者が顧客であるという情報を操作者がＰＯＳレジスタ３００の操作部３０４や硬貨釣銭機１００の操作表示部１１２によって入力することにより、硬貨釣銭機１００の硬貨受入部１１４に投入された硬貨の所有者が顧客であると所有者判定手段１４０により判定されるようになる。そして、硬貨釣銭機制御部１３０は、硬貨釣銭機１００の硬貨受入部１１４に投入された硬貨の所有者が顧客であると所有者判定手段１４０により判定されると、硬貨釣銭機１００の硬貨受入部１１４に投入された硬貨の所有者が顧客ではないと所有者判定手段１４０により判定された場合よりも高速で硬貨受入部１１４の受入ホッパ１１４ａから筐体１１０の内部に硬貨を繰り出させるよう当該硬貨受入部１１４の搬送ベルト１１４ｂを制御する。このことにより、レジユニット１８において顧客から商品の代金として店員に支払われた硬貨を硬貨釣銭機１００に入金する際に、硬貨受入部１１４の受入ホッパ１１４ａに受け入れられた硬貨を筐体１１０の内部に繰り出す速度が高速になるため、硬貨の入金処理が完了するまでにかかる時間を短縮することができ、よって顧客を長い間待たせてしまうことを防止することができる。また、レジユニット１８において顧客から商品の代金として店員に支払われた硬貨を硬貨釣銭機１００に入金する場合には、硬貨受入部１１４の受入ホッパ１１４ａに受け入れられる硬貨の量はそれほど多くないため、搬送ベルト１１４ｂによる筐体１１０の内部への硬貨の繰り出し速度を高速にしても硬貨受入部１１４の受入ホッパ１１４ａから硬貨があふれてしまうことはほとんどない。一方、釣銭としての硬貨を硬貨釣銭機１００に入金する場合には、硬貨釣銭機１００の硬貨受入部１１４に投入された硬貨の所有者が顧客ではないため、硬貨受入部１１４の受入ホッパ１１４ａに受け入れられた硬貨を筐体１１０の内部に硬貨を繰り出す速度が低速になる。このことにより、このため釣銭としての硬貨を大量に硬貨受入部１１４の受入ホッパ１１４ａに投入してもこの受入ホッパ１１４ａから硬貨があふれてしまうことを抑制することができる。
【００５５】
また、「所定の条件」の他の例として、硬貨釣銭機１００の硬貨受入部１１４に投入された硬貨の量が所定量以下であることが硬貨量検知部１４２により検知された場合が挙げられる。具体的には、硬貨釣銭機１００の硬貨受入部１１４に投入された硬貨の量が比較的少なく、全ての光センサにおいて発光素子１４２ａから発せられた光が受光素子１４２ｂにより受けられたときに、受入ホッパ１１４ａに収容されている硬貨の量が所定量以下であることが硬貨量検知部１４２により検知されるが、この場合には「所定の条件」が満たされたと判断されるようになる。なお、本実施の形態では、硬貨釣銭機１００の硬貨受入部１１４に投入された硬貨の量が所定量以下であることが硬貨量検知部１４２により検知された場合に、硬貨釣銭機１００の硬貨受入部１１４に投入された硬貨の所有者が顧客であると所有者判定手段１４０により判定されるようになっていてもよい。上述したように、レジユニット１８において顧客から商品の代金として店員に支払われた硬貨を硬貨釣銭機１００に入金する場合には、硬貨受入部１１４の受入ホッパ１１４ａに受け入れられる硬貨の量はそれほど多くないため、硬貨釣銭機１００の硬貨受入部１１４に投入された硬貨の量が所定量以下であることが硬貨量検知部１４２により検知されたときには、この硬貨の所有者が顧客であるとみなすことができるからである。ここで、硬貨釣銭機１００の硬貨受入部１１４に投入された硬貨の量が所定量以下であることが硬貨量検知部１４２により検知された場合には、硬貨受入部１１４の受入ホッパ１１４ａに受け入れられた硬貨を筐体１１０の内部に繰り出す速度が高速になるため、硬貨の入金処理が完了するまでにかかる時間を短縮することができ、よって顧客を長い間待たせてしまうことを防止することができる。一方、硬貨釣銭機１００の硬貨受入部１１４に投入された硬貨の量が所定量より多いことが硬貨量検知部１４２により検知された場合には、硬貨受入部１１４の受入ホッパ１１４ａに受け入れられた硬貨を筐体１１０の内部に硬貨を繰り出す速度が低速になる。このことにより、釣銭としての硬貨を硬貨釣銭機１００に入金する際に大量の硬貨を硬貨受入部１１４の受入ホッパ１１４ａに投入してもこの受入ホッパ１１４ａから硬貨があふれてしまうことを抑制することができる。
【００５６】
また、「所定の条件」の更に他の例として、硬貨受入部１１４において蓋１１４ｃが閉まっていることが検知センサ１１４ｄ（蓋開閉検知部）により検知された場合が挙げられる。硬貨受入部１１４において受入ホッパ１１４ａの上部開口の開閉を行う蓋１１４ｃが設けられ、この蓋１１４ｃに受入ホッパ１１４ａへの硬貨投入用の開口１１４ｆが形成されるような硬貨釣銭機１００では、レジユニット１８において顧客から商品の代金として店員に支払われた硬貨を硬貨釣銭機１００に入金する際には硬貨受入部１１４の受入ホッパ１１４ａに投入される硬貨の枚数が比較的少ないため蓋１１４ｃは閉じられるようになり、一方、釣銭としての硬貨を硬貨釣銭機１００に入金する際には硬貨受入部１１４の受入ホッパ１１４ａに大量の硬貨を投入する必要があるため蓋１１４ｃが開けられて受入ホッパ１１４ａの上部開口に硬貨が直接投入されるようになる。なお、本実施の形態では、硬貨受入部１１４において蓋１１４ｃが閉まっていることが検知センサ１１４ｄにより検知された場合に、硬貨釣銭機１００の硬貨受入部１１４に投入された硬貨の所有者が顧客であると所有者判定手段１４０により判定されるようになっていてもよい。上述したように、硬貨受入部１１４において蓋１１４ｃが閉まっていることが検知センサ１１４ｄにより検知された場合には、硬貨受入部１１４の受入ホッパ１１４ａに投入される硬貨の枚数が比較的少なく、よって硬貨受入部１１４の受入ホッパ１１４ａに投入された硬貨の所有者が顧客であるとみなすことができるからである。ここで、硬貨受入部１１４において蓋１１４ｃが閉まっていることが検知センサ１１４ｄにより検知された場合には、硬貨受入部１１４の受入ホッパ１１４ａに受け入れられた硬貨を筐体１１０の内部に繰り出す速度が高速になるため、硬貨の入金処理が完了するまでにかかる時間を短縮することができ、よって顧客を長い間待たせてしまうことを防止することができる。一方、硬貨受入部１１４において蓋１１４ｃが開いていることが検知センサ１１４ｄにより検知された場合には、硬貨受入部１１４の受入ホッパ１１４ａに受け入れられた硬貨を筐体１１０の内部に硬貨を繰り出す速度が低速になる。このことにより、釣銭としての硬貨を硬貨釣銭機１００に入金する際に大量の硬貨を硬貨受入部１１４の受入ホッパ１１４ａに投入してもこの受入ホッパ１１４ａから硬貨があふれてしまうことを抑制することができる。
【００５７】
また、「所定の条件」の更に他の例として、外部装置（具体的には、ＰＯＳレジスタ３００）から入金処理開始の指令をインターフェース１３２（通信部）にて受信した場合が挙げられる。レジユニット１８において顧客から商品の代金として店員に支払われた硬貨を硬貨釣銭機１００に入金する際には概してＰＯＳレジスタ３００から入金処理開始の指令が硬貨釣銭機１００に送信され、この入金処理開始の指令が硬貨釣銭機１００のインターフェース１３２にて受信されるようになる。一方、釣銭としての硬貨を硬貨釣銭機１００に入金する際には概して硬貨釣銭機１００の操作表示部１１２により硬貨補充開始の指示が入力されるようになる。なお、本実施の形態では、ＰＯＳレジスタ３００等の外部装置から入金処理開始の指令をインターフェース１３２にて受信した場合に、硬貨釣銭機１００の硬貨受入部１１４に投入された硬貨の所有者が顧客であると所有者判定手段１４０により判定されるようになっていてもよい。上述したように、ＰＯＳレジスタ３００等の外部装置から入金処理開始の指令をインターフェース１３２にて受信した場合には、硬貨受入部１１４の受入ホッパ１１４ａに投入された硬貨の所有者が顧客であるとみなすことができるからである。ここで、ＰＯＳレジスタ３００等の外部装置から入金処理開始の指令をインターフェース１３２にて受信した場合には、硬貨受入部１１４の受入ホッパ１１４ａに受け入れられた硬貨を筐体１１０の内部に繰り出す速度が高速になるため、硬貨の入金処理が完了するまでにかかる時間を短縮することができ、よって顧客を長い間待たせてしまうことを防止することができる。一方、硬貨釣銭機１００の操作表示部１１２により硬貨補充開始の指示が入力された場合には、硬貨受入部１１４の受入ホッパ１１４ａに受け入れられた硬貨を筐体１１０の内部に硬貨を繰り出す速度が低速になる。このことにより、釣銭としての硬貨を硬貨釣銭機１００に入金する際に大量の硬貨を硬貨受入部１１４の受入ホッパ１１４ａに投入してもこの受入ホッパ１１４ａから硬貨があふれてしまうことを抑制することができる。
【００５８】
次に、硬貨釣銭機１００において硬貨の出金処理を行う場合の動作について以下に説明する。硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００のＰＯＳ制御部３３０から出金指令が上位制御部１２０を介して硬貨釣銭機制御部１３０に送られることにより、硬貨釣銭機１００から釣銭としての硬貨が出金されるようになる。硬貨釣銭機制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００５９】
次に、紙幣釣銭機２００において紙幣の入金処理が行われる際の動作について説明する。紙幣釣銭機２００の紙幣受入口２１４ａに紙幣が投入されると、紙幣受入部２１４は、紙幣受入口２１４ａに投入された入金紙幣を一括で取り込んで、接続搬送部２０３ｂを介して周回搬送部２０３ａに紙幣を１枚ずつ繰り出す。そして、周回搬送部２０３ａに繰り出された紙幣は当該周回搬送部２０３ａにより搬送され、この際に紙幣識別部２０１により紙幣の識別が行われる。
【００６０】
紙幣識別部２０１により識別が行われた紙幣のうち正常な紙幣であると判別された紙幣は、その金種に対応する各紙幣収納部２０６に送られ、これらの紙幣収納部２０６に収納される。具体的には、ある紙幣収納部２０６には千円札が収納され、別の紙幣収納部２０６には二千円札および五千円札が混合状態で収納され、更に別の紙幣収納部２０６には一万円札が収納される。一方、紙幣識別部２０１による識別結果により正常な紙幣ではないと判別された紙幣は入金リジェクト紙幣として周回搬送部２０３ａおよび接続搬送部２０３ｂにより紙幣払出部２１６に搬送され、この紙幣払出部２１６に集積される。そして、紙幣受入口２１４ａに投入された入金紙幣が全て各紙幣収納部２０６または紙幣払出部２１６に送られた後、紙幣払出部２１６に集積された入金リジェクト紙幣が紙幣取出口２１６ａに送られる。このことにより、操作者は、入金リジェクト紙幣を紙幣取出口２１６ａから取り出して紙幣受入部２１４の紙幣受入口２１４ａに再投入することができるようになる。
【００６１】
また、本実施の形態では、紙幣釣銭機２００において紙幣の入金処理が行われる際に、紙幣釣銭機制御部２３０は、予め設定された所定の条件を満たす場合に、所定の条件を満たさない場合よりも高速で紙幣受入部２１４から筐体２１０の内部に紙幣を繰り出させるよう当該紙幣受入部２１４に設けられた繰出機構２１４ｂを制御するようになっている。ここで、「所定の条件」としては、紙幣釣銭機２００の紙幣受入部２１４に投入された紙幣の所有者が顧客であると所有者判定手段１４０により判定された場合、紙幣釣銭機２００の紙幣受入部２１４に投入された紙幣の量が所定量以下であることが紙幣量検知部２４２により検知された場合、外部装置（具体的には、ＰＯＳレジスタ３００）から入金処理開始の指令をインターフェース１３２（通信部）にて受信した場合等、様々な例が考えられる。これらの様々な所定の条件は、硬貨釣銭機１００における硬貨の入金処理の説明で述べた所定の条件の各々の例と略同一となっている。
【００６２】
具体的には、紙幣釣銭機２００において紙幣の入金処理が行われる際に、紙幣受入口２１４ａを介して紙幣受入部２１４に紙幣が投入され、当該紙幣受入部２１４に設けられた残留検知センサ２１４ｃにより紙幣が検知されると、予め設定された所定の条件が満たされている場合には、紙幣受入部２１４に受け入れられた紙幣が１枚ずつ当該紙幣受入部２１４に設けられた繰出機構２１４ｂにより高速で筐体２１０の内部に繰り出されるようになる。具体的には、予め設定された所定の条件が満たされている場合には、紙幣受入部２１４に設けられた繰出機構２１４ｂによる紙幣の繰り出し速度は例えば２０００ｍｍ／ｓｅｃとなる。一方、予め設定された所定の条件が満たされていない場合には、紙幣受入部２１４に受け入れられた紙幣が１枚ずつ当該紙幣受入部２１４に設けられた繰出機構２１４ｂにより低速で筐体２１０の内部に繰り出されるようになる。具体的には、予め設定された所定の条件が満たされていない場合には、紙幣受入部２１４に設けられた繰出機構２１４ｂによる紙幣の繰り出し速度は例えば１０００ｍｍ／ｓｅｃとなる。
【００６３】
また、本実施の形態では、予め設定された所定の条件が満たされていない場合において、筐体２１０の内部への紙幣の繰り出し速度が徐々に大きくなるように紙幣受入部２１４に設けられた繰出機構２１４ｂが紙幣釣銭機制御部２３０により制御されるようになっている。すなわち、予め設定された所定の条件が満たされていない場合における紙幣受入部２１４に設けられた繰出機構２１４ｂによる紙幣の繰り出し速度は最初は例えば１０００ｍｍ／ｓｅｃであるが、この繰り出し速度は時間の経過とともに徐々に大きくなり、最終的には２０００ｍｍ／ｓｅｃとなる。
【００６４】
そして、紙幣受入部２１４に投入された紙幣が全て筐体２１０の内部へ繰り出され、各紙幣収納部２０６または紙幣払出部２１６に送られると、紙幣釣銭機２００における紙幣の入金処理が完了する。
【００６５】
次に、紙幣釣銭機２００において紙幣の出金処理が行われる際の動作について以下に説明する。出金される紙幣の合計金額あるいは金種別の枚数等を含む出金処理の開始指令がＰＯＳレジスタ３００の操作部３０４や硬貨釣銭機１００の操作表示部１１２により上位制御部１２０に入力されると、各紙幣収納部２０６に収納されている紙幣が１枚ずつ接続搬送部２０３ｂに繰り出され、この接続搬送部２０３ｂから周回搬送部２０３ａに紙幣が受け渡される。周回搬送部２０３ａに送られた紙幣は当該周回搬送部２０３ａで少なくとも１周回るよう搬送され、この際に紙幣識別部２０１により紙幣の金種、真偽、正損、新旧、搬送状態等の識別が行われる。紙幣識別部２０１により識別が行われた紙幣のうち正常な紙幣であると判別された紙幣は紙幣払出部２１６に搬送され、この紙幣払出部２１６に集積される。一方、紙幣識別部２０１による識別結果により正常な紙幣ではないと判別された紙幣（例えば、重送や斜行等の搬送異常の紙幣）は出金リジェクト紙幣として周回搬送部２０３ａおよび接続搬送部２０３ｂにより出金リジェクト部２０４に搬送され、この出金リジェクト部２０４に集積される。出金リジェクト部２０４に集積された出金リジェクト紙幣は、店舗１０の店長や管理者等の所定の権限を有する者が紙幣釣銭機２００の筐体２１０から本体部分を手前側に引き出すことにより出金リジェクト部２０４から取り出すことができるようになる。そして、出金されるべき紙幣が各紙幣収納部２０６から紙幣払出部２１６に送られた後、紙幣払出部２１６に集積された紙幣が一括して紙幣取出口２１６ａに送られる。このことにより、操作者は、出金紙幣を紙幣取出口２１６ａから取り出すことができるようになる。
【００６６】
以上のような構成からなる本実施の形態の貨幣釣銭機（貨幣処理装置）によれば、硬貨や紙幣を入金するための入金部として硬貨受入部１１４や紙幣受入部２１４が設けられており、硬貨釣銭機制御部１３０や紙幣釣銭機制御部２３０は、予め設定された所定の条件を満たす場合に、所定の条件を満たさない場合よりも高速で入金部から筐体１１０、２１０の内部に硬貨や紙幣を繰り出させるよう繰出部（具体的には、硬貨受入部１１４に設けられた搬送ベルト１１４ｂや紙幣受入部２１４に設けられた繰出機構２１４ｂ）を制御するようになっている。この場合には、所定の条件が満たされた場合に、筐体１１０、２１０の内部に硬貨や紙幣を高速で繰り出させることにより、硬貨や紙幣の入金処理が完了するまでにかかる時間を短縮することができ、このことにより顧客を長い間待たせてしまうことを防止することができる。しかも、所定の条件が満たされない場合には、筐体１１０、２１０の内部に硬貨や紙幣を低速で繰り出させることにより、例えば硬貨受入部１１４から硬貨があふれてしまうことを抑制することができる。
【００６７】
本実施の形態の貨幣釣銭機（貨幣処理装置）においては、上述したように、硬貨受入部１１４や紙幣受入部２１４に投入された硬貨や紙幣の所有者が顧客であるか否かを判定する所有者判定手段１４０が設けられており、所定の条件は、硬貨受入部１１４や紙幣受入部２１４に投入された硬貨や紙幣の所有者が顧客であると所有者判定手段１４０により判定された場合であってもよい。
【００６８】
また、本実施の形態の貨幣釣銭機（貨幣処理装置）においては、上述したように、硬貨受入部１１４や紙幣受入部２１４に投入された硬貨や紙幣の量を検知する硬貨量検知部１４２や紙幣量検知部２４２（これらをまとめて貨幣量検知部という）が設けられており、所定の条件は、硬貨受入部１１４や紙幣受入部２１４に投入された硬貨や紙幣の量が所定量以下であることが硬貨量検知部１４２や紙幣量検知部２４２により検知された場合であってもよい。
【００６９】
また、本実施の形態の貨幣釣銭機（貨幣処理装置）における硬貨釣銭機１００においては、上述したように、硬貨受入部１１４には、入金部としての硬貨受入部１１４への硬貨投入用の開口１１４ｆが形成された蓋１１４ｃ、および蓋１１４ｃの開閉を検知するための検知センサ１１４ｄ（蓋開閉検知部）がそれぞれ設けられており、所定の条件は、蓋１１４ｃが閉まっていることが蓋開閉検知部としての検知センサ１１４ｄにより検知された場合であってもよい。
【００７０】
また、本実施の形態の貨幣釣銭機（貨幣処理装置）においては、上述したように、外部装置（具体的には、例えばＰＯＳレジスタ３００）から送信された貨幣の処理に関する指示を受信する通信部としてインターフェース１３２が設けられており、所定の条件は、外部装置から入金処理開始の指示をインターフェース１３２にて受信した場合であってもよい。
【００７１】
また、本実施の形態の貨幣釣銭機（貨幣処理装置）においては、上述したように、硬貨釣銭機制御部１３０や紙幣釣銭機制御部２３０は、所定の条件を満たさない場合に、筐体１１０、２１０の内部への硬貨や紙幣の繰り出し速度を徐々に大きくするよう繰出部（具体的には、硬貨受入部１１４に設けられた搬送ベルト１１４ｂや紙幣受入部２１４に設けられた繰出機構２１４ｂ）を制御するようになっている。このことにより、所定の条件を満たさない場合において、筐体１１０、２１０の内部への硬貨や紙幣の繰り出し速度が最初は低速であっても、この繰り出し速度を徐々に大きくすることにより、硬貨や紙幣の入金処理が完了するまでにかかる時間を短縮することができる。
【００７２】
なお、本実施の形態による貨幣釣銭機（貨幣処理装置）は、上述したような態様に限定されることはなく、様々な変更を加えることができる。
【００７３】
例えば、上記の説明では本実施の形態による貨幣釣銭機はＰＯＳレジスタ３００と通信可能に接続されており、この貨幣釣銭機はＰＯＳレジスタ３００と一体的に運用されるようになっているが、他の例として、硬貨釣銭機１００および紙幣釣銭機２００からなる貨幣釣銭機が単体で用いられるようになっていてもよい。また、本発明に係る貨幣処理装置として、硬貨釣銭機１００が単体で用いられるようになっていてもよく、あるいは紙幣釣銭機２００が単体で用いられるようになっていてもよい。
【００７４】
また、本実施の形態による硬貨釣銭機における硬貨受入部は図４に示すような構成のものに限定されることはない。変形例に係る貨幣釣銭機において硬貨受入部に蓋が設けられていなくてもよい。また、硬貨受入部に受け入れられた硬貨を筐体の内部に繰り出す繰出部として搬送ベルトの代わりに回転円盤が用いられるようになっていてもよい。
【符号の説明】
【００７５】
１０      店舗
１２      フロント領域
１４      商品棚
１６      精算所
１８      レジユニット
２０      バックヤード領域
２２      売上入金機
１００    硬貨釣銭機
１０１    硬貨識別部
１０３    入金搬送部
１０４    分岐部
１０６    硬貨収納部
１０８    出金搬送部
１１０    筐体
１１２    操作表示部
１１４    硬貨受入部
１１４ａ  受入ホッパ
１１４ｂ  搬送ベルト
１１４ｃ  蓋
１１４ｄ  検知センサ
１１４ｅ  被検知板
１１４ｆ  開口
１１４ｇ  残留検知センサ
１１６    硬貨払出部
１２０    上位制御部
１３０    硬貨釣銭機制御部
１３２    インターフェース
１３４    記憶部
１４０    所有者判定手段
１４２    硬貨量検知部
１４２ａ  発光素子
１４２ｂ  受光素子
２００    紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１４ｂ  繰出機構
２１４ｃ  残留検知センサ
２１６    紙幣払出部
２１６ａ  紙幣取出口
２３０    紙幣釣銭機制御部
２３２    インターフェース
２４２    紙幣量検知部
３００    ＰＯＳレジスタ
３０２    表示部
３０２ａ  追加の表示部
３０４    操作部
３３０    ＰＯＳ制御部
３３２    インターフェース
３３４    記憶部
３３６    カードリーダライタ
３３８    印字部
３５０    バーコードスキャナ
５００    店舗サーバ
【図１】
2017049679.tif 000003
【図２】
2017049679.tif 000004
【図３】
2017049679.tif 000005
【図４】
2017049679.tif 000006
【図５】
2017049679.tif 000007
【図６】
2017049679.tif 000008